(57)【要約】【課題】収納物の揺れ動きを防ぐことができるランドセル用仕切具を提供する。【解決手段】ランドセル用仕切具１は、縦長板状の固定部２の裏面に形成した、ランドセル５の収納部６の内面７に着脱可能な固定面３と、固定部２の表面の幅方向中間部から略垂直状に２ｃｍ〜６ｃｍの出幅で突出させて形成した、縦長板状の押さえ片部４と、を備え、横断面略Ｔ字状に形成したことを特徴とする。【選択図】図１
2013176508.tif 000002
【特許請求の範囲】
【請求項１】
固定部の裏面に形成した、鞄の収納部内面に着脱可能な固定面と、固定部の表面に突出させて形成した、縦長状の押さえ片部と、を備えた鞄用仕切具。
【請求項２】
固定部を、縦長板状に形成し、押さえ片部を、前記表面から略垂直状に突出する縦長板状に形成した請求項１に記載の鞄用仕切具。
【請求項３】
固定部を、縦長板状に形成し、押さえ片部を、縦方向に沿う山型状に形成した請求項１に記載の鞄用仕切具。
【請求項４】
固定面を面ファスナーで形成し、鞄の収納部内面に着脱可能とした請求項１〜３のいずれかに記載の鞄用仕切具。
【請求項５】
請求項１〜４のいずれかに記載の鞄用仕切具の一対を、押さえ片部が対向するように収納部内面に配した鞄。
【発明の詳細な説明】
【技術分野】
【０００１】
本発明は、ランドセルなどの収納部に収容した収納物が揺れ動かないように押さえることができる鞄用仕切具に関する。
【背景技術】
【０００２】
鞄の収納部に少量の収納物を収容して持ち運ぶ場合、収納物が揺れ動き、持ち運びにくいだけでなく、収納物が傷ついてしまうおそれがある。特にランドセルなどは、収納部（大マチ）の形状が変形しにくいため、教科書やノートなどを２〜３冊など少量収納する場合、教科書などが収納部内で揺れ動き、背負いにくくなることがあった。
【０００３】
そのため、ランドセルにおいて、教科書やノートなどの揺れ動きを防止する仕切り具（仕切板）が開発されており、例えば、下記特許文献１には、図７に示すように、ランドセルの主収納部に納まる大きさとした押さえ板１０の両側端に、元の角度に弾性復帰する折角部１１を少なくとも一つ備えた前支持板１２及び後支持板１３を設けたランドセル用仕切り具が開示されている。これを用いることにより、収納部の大きさを調節することができ、教科書やノートなどの揺れ動きを防止できる。
【０００４】
また、下記特許文献２には、図８に示すように、ランドセルの主収納室内に収まる横幅と高さを有した仕切板の基板１４の両側を夫々同じ方向に直角に折り曲げてマチ片部１５を一体に形成したランドセル用仕切板が開示されている。これを用いることにより、持ち運ぶ際に収容した教科書やノートなどの移動距離が短くなり、ランドセルを背負い易くすることができる。
【先行技術文献】
【特許文献】
【０００５】
【特許文献１】特開２００８−２５９６０８号公報
【特許文献２】実用新案登録第３１６７６９５号公報
【発明の概要】
【発明が解決しようとする課題】
【０００６】
上記特許文献１及び２に開示された仕切り具（仕切板）は、上記したとおり、教科書やノートなどの揺れ動きを防ぐことができる。
しかし、これらは、ランドセルの主収納部の幅に合わせて作製されているため、他の鞄、例えば手提げ鞄などには適用することができなかった。最近では、Ａ４クリアファイルが入るように主収納部を幅広に作製したランドセルもあり、これらに合わせた仕切り具をそれぞれ作製しなければならなかった。
また、これらはランドセルなどの主収納部を全幅に亘って仕切るため、手などが挿入しづらく、教科書などが取り出しづらくなることもあった。
【０００７】
そこで、本発明の目的は、収納物の揺れ動きを防ぐことができ、さらには、様々な鞄にも適用できる鞄用仕切具を提供することにある。
【課題を解決するための手段】
【０００８】
本発明の鞄用仕切具は、固定部の裏面に形成した、鞄の収納部内面に着脱可能な固定面と、固定部の表面に突出させて形成した、縦長状の押さえ片部と、を備えたことを特徴とするものである。
【０００９】
本発明の鞄用仕切具は、例えば、押さえ片部が収納物に当接するように鞄の内面に取り付けることにより、収納物を押さえ付けて揺れ動かないようにすることができ、持ち運びやすい鞄になる。また、様々な形態の鞄でも、収納部内面を、鞄用仕切具を着脱可能に形成すれば、本発明の鞄用仕切具を適用することができる。
鞄用仕切具は、収納部を全幅に亘って仕切らない配置にすることもできるため、適度な空間ができ、収納物を取り出しやすくすることもできる。
【図面の簡単な説明】
【００１０】
【図１】本発明の一実施形態の鞄用仕切具を示し、（ａ）は裏面側斜視図、（ｂ）は表面側斜視図である。
【図２】図１の鞄用仕切具をランドセルに用いた場合の使用方法の一例を示した図である。
【図３】本発明の他の実施形態の鞄用仕切具を示した表面側斜視図である。
【図４】図２に示した使用例において、他の収納例を示した図である。
【図５】図１の鞄用仕切具をランドセルに用いた場合の使用方法の他例を示した図である。
【図６】図１の鞄用仕切具をランドセルに用いた場合の使用方法の他例を示した図である。
【図７】従来の鞄用仕切具の一例を示した斜視図である。
【図８】従来の鞄用仕切具の他例を示した斜視図である。
【発明を実施するための形態】
【００１１】
以下、本発明を、一実施形態の鞄用仕切具に基づいて説明する。
【００１２】
本発明の一実施形態の鞄用仕切具１は、図１（ａ）に示すように、固定部２の裏面に固定面３を形成し、図１（ｂ）に示すように、表面に、突出する押さえ片部４を形成したものであり、例えば、図２に示すように、ランドセルなどの鞄５の収納物を収容する収納部６の内面７に取り付けて用いることができる。
以下、鞄用仕切具１を鞄５としてランドセルに用いた場合について説明するが、これに限定するものではない。例えば、鞄用仕切具１は、デイバックなどの背負い鞄やトートバックなどの手提げ鞄等にも用いることができる。特に収納部が、硬質素材で形成されて変形しにくいものに対して好適に用いることができる。
【００１３】
鞄用仕切具１は、適宜形状の芯材に生地を被覆し、縫製などして形成することができる。
芯材は、適度に撓む硬さを有するものを好適に用いることができ、例えば、合成樹脂シート、紙、金属板などを用いることができ、特に、ポリエチレンの発泡シートやポリプロピレンの発泡シート等を用いることが好ましい。
生地は、収納物に傷を付けにくい適度な厚みを有するものを好適に用いることができ、例えば、ナイロンなどの合成繊維、布、革などを用いることができ、特に、ポリエステルを起毛させたフレンチパイル等が好ましい。
本実施形態の鞄用仕切具１は、芯材としてポリエチレンの発泡シートを用い、また、生地として固定部２の裏面にナイロン、固定部２の表面及び押さえ片部４にフレンチパイルを用いて芯材を被覆してある。
【００１４】
固定部２は、図１（ａ），（ｂ）に示すように、縦長板状、より具体的には四隅を丸隅とした縦長矩形板状に形成し、裏面には、鞄５の収納部６の内面７に着脱可能な固定面３を形成し、表面には、突出する押さえ片部４を形成してある。
固定部２の大きさは、収納部６の内面７に取り付けできる大きさに形成すればよく、長円状、円形状、正方形状などに形成することもできる。例えば、固定部２の長さは、５ｃｍ〜２５ｃｍ程、好ましくは１５ｃｍ〜２３ｃｍ程、幅は、５ｃｍ〜１２ｃｍ程、好ましくは８ｃｍ〜１０ｃｍ程の矩形状に形成することができる。
固定部２の周端部は、ナイロンなどの生地を被覆させて端部処理がしてある。
【００１５】
固定面３は、図１（ａ）に示すように、固定部２の裏面の上端寄り中間部に、縦長矩形状の面ファスナーのフック部８を備え付けて形成し、収納部６の内面７に着脱可能としてある。
本実施形態では、固定面３を面ファスナーで形成してあるが、着脱可能な部材であればいずれを用いて形成してもよく、例えば、両面テープなど粘着性のあるものにより形成してもよい。また、固定部２の裏面全面を面ファスナーとした固定面３としてもよく、これにより、係合強度を高めることができる。
【００１６】
押さえ片部４は、収納物を押さえることができるように縦長状に突出させて形成し、固定部２の表面から略垂直状に突出させて形成してある。より具体的には、押さえ片部４は、固定部２の長さよりもやや短い縦長矩形板状に形成してあり、固定部２の表面の幅方向中間部から縦方向に沿い突出させ、固定部２と押さえ片部４とで断面略Ｔ字状になるように形成してある。
押さえ片部４の出幅は、例えば、２ｃｍ〜６ｃｍ程、好ましくは３ｃｍ〜５ｃｍ程に形成することができる。
本実施形態では、押さえ片部４を縦長板状に形成したが、これに限定するものではなく、例えば、図３に示す他の実施形態の鞄用仕切具１Ａの如く、縦方向に沿う山型状の押さえ片部４Ａとして形成することもできる。また、押さえ片部４は、縦方向に連続的に形成してあるが、これに限定するものではなく、断続的に形成してもよい。
【００１７】
鞄５の収納部６の内面７には、面ファスナーのループ部９が備え付けてあり、固定部２の固定面３のフック部８と係合できるようにしてある。
ループ部９は、収納部６の内面７の全面、つまり両側面７ａ，７ｂ、背当て側面７ｃ、前側面７ｄに設けることや一部、例えば、両側面７ａ，７ｂのみに設けることができる。例えば、内面７の全面をループ部９で形成すれば、内面７のいずれの位置でも鞄用仕切具１を着脱可能にすることができる。また、両側面７ａ，７ｂのみをループ部９で形成すれば、両側面７ａ，７ｂ内で鞄用仕切具１を着脱可能にすることができる。
【００１８】
以下、鞄用仕切具１の使用例について説明する。
図２には、一対の鞄用仕切具１を、押さえ片部４が対向するように鞄５の収納部６の両側面７ａ，７ｂの中間部付近にそれぞれ取り付けた使用例を示す。
この場合、例えば、鞄５の収納部６の背当て側面７ｃ側に教科書やノートなどの書籍Ｓ等を収納することができる。
このようにすることにより、書籍Ｓ等は、鞄用仕切具１の押さえ片部４で押さえられているので、揺れ動くことがなく、鞄５は持ち運びやすいものになる。また、両鞄用仕切具１間は、空間になるため、手を入れやすく、書籍が取り出しやすいものになる。
この使用例において、両鞄用仕切具１間は空間になるため、図４に示すように、さらに、収納部６の前側面７ｄ側に教科書などの書籍Ｓを収納し、両書籍Ｓ間に筆箱Ｆなどを収納することもできる。
【００１９】
図５には、一対の鞄用仕切具１を、押さえ片部４が対向するように鞄５の収納部６の両側面７ａ，７ｂの中間部付近にそれぞれ取り付け、さらに、１つの鞄用仕切具１を、前側面７ｄの側面７ｃ寄りに取り付けた使用例を示す。
この場合、例えば、上記図２と同様に、鞄５の収納部６の背当て側面７ｃ側に教科書やノートなどの書籍Ｓを収納することができ、さらに、側面７ａと前側面７ｄに取り付けた仕切具１との間に折り畳み傘Ｋなどの細長状のものを収納することができる。
このようにすることにより、書籍Ｓ及び折り畳み傘Ｋ等は鞄用仕切具１で押さえられているので、揺れ動くことがなく、鞄５は持ち運びやすいものになる。
【００２０】
図６には、一対の鞄用仕切具１を、押さえ片部４が対向するように鞄５の収納部６の背当て側面７ｃ及び前側面７ｄにそれぞれ取り付けた使用例を示す。
この場合、例えば、鞄５の収納部６の側面７ａ側に筆箱Ｆ等の縦長直方体状のものを収納することができる。
このようにすることにより、筆箱Ｆ等は鞄用仕切具１で押さえられているので、揺れ動くことがなく、鞄５は持ち運びやすいものになる。
【００２１】
このように、鞄用仕切具１は、押さえ片部４が収納物に当接するように鞄５の内面７に取り付けることにより、収納物を押さえ付けて揺れ動かないようにすることができ、持ち運びやすい鞄５にすることができる。
また、鞄の収納部６の内面７に鞄用仕切具１を取り付けることができるようにしておけば、様々な形態の鞄に鞄用仕切具１を適用することができる。
鞄用仕切具１は、収納部を全幅に亘って仕切らない配置にすることもできるため、適度な空間ができ、収納物を取り出しやすくすることもできる。
【００２２】
上記実施形態の構成態様は、本発明を限定するものとして挙げたものではなく、技術目的を共通にするかぎり変更は可能であり、本発明はそのような変更を含むものである。
【符号の説明】
【００２３】
１鞄用仕切具  ２固定部  ３固定面  ４押さえ片部  ５鞄（ランドセル）  ６収納部
７内面  ８フック部  ９ループ部
【図１】
2013176508.tif 000003
【図２】
2013176508.tif 000004
【図３】
2013176508.tif 000005
【図４】
2013176508.tif 000006
【図５】
2013176508.tif 000007
【図６】
2013176508.tif 000008
【図７】
2013176508.tif 000009
【図８】
2013176508.tif 000010
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
縦長板状の固定部の裏面に形成した、鞄の収納部内面に着脱可能な固定面と、固定部の表面の幅方向中間部から略垂直状に突出させて形成した、縦長板状の押さえ片部と、を備えた横断面略Ｔ字状の鞄用仕切具。
【請求項２】
固定面を面ファスナーで形成し、鞄の収納部内面に着脱可能とした請求項１に記載の鞄用仕切具。
【請求項３】
請求項１又は２に記載の鞄用仕切具の一対を、押さえ片部が対向するように収納部内面に配した鞄。
【手続補正２】
【補正対象書類名】明細書
【補正対象項目名】０００８
【補正方法】変更
【補正の内容】
【０００８】
本発明の鞄用仕切具は、縦長板状の固定部の裏面に形成した、鞄の収納部内面に着脱可能な固定面と、固定部の表面の幅方向中間部から略垂直状に突出させて形成した、縦長板状の押さえ片部と、を備え、横断面略Ｔ字状にしたことを特徴とするものである。
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
縦長板状の固定部の裏面に形成した、ランドセルの収納部内面に着脱可能な固定面と、固定部の表面の幅方向中間部から略垂直状に２ｃｍ〜６ｃｍの出幅で突出させて形成した、縦長板状の押さえ片部と、を備えた横断面略Ｔ字状のランドセル用仕切具。
【請求項２】
固定面を面ファスナーで形成し、ランドセルの収納部内面に着脱可能とした請求項１に記載のランドセル用仕切具。
【請求項３】
請求項１又は２に記載のランドセル用仕切具の一対を、押さえ片部が対向するように収納部内面に配したランドセル。
【手続補正２】
【補正対象書類名】明細書
【補正対象項目名】全文
【補正方法】変更
【補正の内容】
【発明の詳細な説明】
【技術分野】
【０００１】
本発明は、ランドセルの収納部に収容した収納物が揺れ動かないように押さえることができるランドセル用仕切具に関する。
【背景技術】
【０００２】
鞄の収納部に少量の収納物を収容して持ち運ぶ場合、収納物が揺れ動き、持ち運びにくいだけでなく、収納物が傷ついてしまうおそれがある。特にランドセルなどは、収納部（大マチ）の形状が変形しにくいため、教科書やノートなどを２〜３冊など少量収納する場合、教科書などが収納部内で揺れ動き、背負いにくくなることがあった。
【０００３】
そのため、ランドセルにおいて、教科書やノートなどの揺れ動きを防止する仕切り具（仕切板）が開発されており、例えば、下記特許文献１には、図７に示すように、ランドセルの主収納部に納まる大きさとした押さえ板１０の両側端に、元の角度に弾性復帰する折角部１１を少なくとも一つ備えた前支持板１２及び後支持板１３を設けたランドセル用仕切り具が開示されている。これを用いることにより、収納部の大きさを調節することができ、教科書やノートなどの揺れ動きを防止できる。
【０００４】
また、下記特許文献２には、図８に示すように、ランドセルの主収納室内に収まる横幅と高さを有した仕切板の基板１４の両側を夫々同じ方向に直角に折り曲げてマチ片部１５を一体に形成したランドセル用仕切板が開示されている。これを用いることにより、持ち運ぶ際に収容した教科書やノートなどの移動距離が短くなり、ランドセルを背負い易くすることができる。
【先行技術文献】
【特許文献】
【０００５】
【特許文献１】特開２００８−２５９６０８号公報
【特許文献２】実用新案登録第３１６７６９５号公報
【発明の概要】
【発明が解決しようとする課題】
【０００６】
上記特許文献１及び２に開示された仕切り具（仕切板）は、上記したとおり、教科書やノートなどの揺れ動きを防ぐことができる。
しかし、これらは、ランドセルの主収納部の幅に合わせて作製されているため、他の鞄、例えば手提げ鞄などには適用することができなかった。最近では、Ａ４クリアファイルが入るように主収納部を幅広に作製したランドセルもあり、これらに合わせた仕切り具をそれぞれ作製しなければならなかった。
また、これらはランドセルなどの主収納部を全幅に亘って仕切るため、手などが挿入しづらく、教科書などが取り出しづらくなることもあった。
【０００７】
そこで、本発明の目的は、収納物の揺れ動きを防ぐことができるランドセル用仕切具を提供することにある。
【課題を解決するための手段】
【０００８】
本発明のランドセル用仕切具は、縦長板状の固定部の裏面に形成した、ランドセルの収納部内面に着脱可能な固定面と、固定部の表面の幅方向中間部から略垂直状に２ｃｍ〜６ｃｍの出幅で突出させて形成した、縦長板状の押さえ片部と、を備え、横断面略Ｔ字状にしたことを特徴とするものである。
【０００９】
本発明のランドセル用仕切具は、例えば、押さえ片部が収納物に当接するようにランドセルの内面に取り付けることにより、収納物を押さえ付けて揺れ動かないようにすることができ、持ち運びやすいランドセルになる。
ランドセル用仕切具は、収納部を全幅に亘って仕切らない配置にすることもできるため、適度な空間ができ、収納物を取り出しやすくすることもできる。
【図面の簡単な説明】
【００１０】
【図１】本発明の一実施形態のランドセル用仕切具を示し、（ａ）は裏面側斜視図、（ｂ）は表面側斜視図である。
【図２】図１のランドセル用仕切具をランドセルに用いた場合の使用方法の一例を示した図である。
【図３】本発明の他の実施形態のランドセル用仕切具を示した表面側斜視図である。
【図４】図２に示した使用例において、他の収納例を示した図である。
【図５】図１のランドセル用仕切具をランドセルに用いた場合の使用方法の他例を示した図である。
【図６】図１のランドセル用仕切具をランドセルに用いた場合の使用方法の他例を示した図である。
【図７】従来の鞄用仕切具の一例を示した斜視図である。
【図８】従来の鞄用仕切具の他例を示した斜視図である。
【発明を実施するための形態】
【００１１】
以下、本発明を、一実施形態のランドセル用仕切具に基づいて説明する。
【００１２】
本発明の一実施形態のランドセル用仕切具１は、図１（ａ）に示すように、固定部２の裏面に固定面３を形成し、図１（ｂ）に示すように、表面に、突出する押さえ片部４を形成したものであり、例えば、図２に示すように、ランドセル５の収納物を収容する収納部６の内面７に取り付けて用いることができる。
【００１３】
ランドセル用仕切具１は、適宜形状の芯材に生地を被覆し、縫製などして形成することができる。
芯材は、適度に撓む硬さを有するものを好適に用いることができ、例えば、合成樹脂シート、紙、金属板などを用いることができ、特に、ポリエチレンの発泡シートやポリプロピレンの発泡シート等を用いることが好ましい。
生地は、収納物に傷を付けにくい適度な厚みを有するものを好適に用いることができ、例えば、ナイロンなどの合成繊維、布、革などを用いることができ、特に、ポリエステルを起毛させたフレンチパイル等が好ましい。
本実施形態のランドセル用仕切具１は、芯材としてポリエチレンの発泡シートを用い、また、生地として固定部２の裏面にナイロン、固定部２の表面及び押さえ片部４にフレンチパイルを用いて芯材を被覆してある。
【００１４】
固定部２は、図１（ａ），（ｂ）に示すように、縦長板状、より具体的には四隅を丸隅とした縦長矩形板状に形成し、裏面には、ランドセル５の収納部６の内面７に着脱可能な固定面３を形成し、表面には、突出する押さえ片部４を形成してある。
固定部２の大きさは、収納部６の内面７に取り付けできる大きさに形成すればよく、長円状、円形状、正方形状などに形成することもできる。例えば、固定部２の長さは、５ｃｍ〜２５ｃｍ程、好ましくは１５ｃｍ〜２３ｃｍ程、幅は、５ｃｍ〜１２ｃｍ程、好ましくは８ｃｍ〜１０ｃｍ程の矩形状に形成することができる。
固定部２の周端部は、ナイロンなどの生地を被覆させて端部処理がしてある。
【００１５】
固定面３は、図１（ａ）に示すように、固定部２の裏面の上端寄り中間部に、縦長矩形状の面ファスナーのフック部８を備え付けて形成し、収納部６の内面７に着脱可能としてある。
本実施形態では、固定面３を面ファスナーで形成してあるが、着脱可能な部材であればいずれを用いて形成してもよく、例えば、両面テープなど粘着性のあるものにより形成してもよい。また、固定部２の裏面全面を面ファスナーとした固定面３としてもよく、これにより、係合強度を高めることができる。
【００１６】
押さえ片部４は、収納物を押さえることができるように縦長状に突出させて形成し、固定部２の表面から略垂直状に突出させて形成してある。より具体的には、押さえ片部４は、固定部２の長さよりもやや短い縦長矩形板状に形成してあり、固定部２の表面の幅方向中間部から縦方向に沿い突出させ、固定部２と押さえ片部４とで断面略Ｔ字状になるように形成してある。
押さえ片部４の出幅は、例えば、２ｃｍ〜６ｃｍ程、好ましくは３ｃｍ〜５ｃｍ程に形成することができる。
本実施形態では、押さえ片部４を縦長板状に形成したが、これに限定するものではなく、例えば、図３に示す他の実施形態のランドセル用仕切具１Ａの如く、縦方向に沿う山型状の押さえ片部４Ａとして形成することもできる。また、押さえ片部４は、縦方向に連続的に形成してあるが、これに限定するものではなく、断続的に形成してもよい。
【００１７】
ランドセル５の収納部６の内面７には、面ファスナーのループ部９が備え付けてあり、固定部２の固定面３のフック部８と係合できるようにしてある。
ループ部９は、収納部６の内面７の全面、つまり両側面７ａ，７ｂ、背当て側面７ｃ、前側面７ｄに設けることや一部、例えば、両側面７ａ，７ｂのみに設けることができる。例えば、内面７の全面をループ部９で形成すれば、内面７のいずれの位置でもランドセル用仕切具１を着脱可能にすることができる。また、両側面７ａ，７ｂのみをループ部９で形成すれば、両側面７ａ，７ｂ内でランドセル用仕切具１を着脱可能にすることができる。
【００１８】
以下、ランドセル用仕切具１の使用例について説明する。
図２には、一対のランドセル用仕切具１を、押さえ片部４が対向するようにランドセル５の収納部６の両側面７ａ，７ｂの中間部付近にそれぞれ取り付けた使用例を示す。
この場合、例えば、ランドセル５の収納部６の背当て側面７ｃ側に教科書やノートなどの書籍Ｓ等を収納することができる。
このようにすることにより、書籍Ｓ等は、ランドセル用仕切具１の押さえ片部４で押さえられているので、揺れ動くことがなく、ランドセル５は持ち運びやすいものになる。また、両ランドセル用仕切具１間は、空間になるため、手を入れやすく、書籍が取り出しやすいものになる。
この使用例において、両ランドセル用仕切具１間は空間になるため、図４に示すように、さらに、収納部６の前側面７ｄ側に教科書などの書籍Ｓを収納し、両書籍Ｓ間に筆箱Ｆなどを収納することもできる。
【００１９】
図５には、一対のランドセル用仕切具１を、押さえ片部４が対向するようにランドセル５の収納部６の両側面７ａ，７ｂの中間部付近にそれぞれ取り付け、さらに、１つのランドセル用仕切具１を、前側面７ｄの側面７ｃ寄りに取り付けた使用例を示す。
この場合、例えば、上記図２と同様に、ランドセル５の収納部６の背当て側面７ｃ側に教科書やノートなどの書籍Ｓを収納することができ、さらに、側面７ａと前側面７ｄに取り付けた仕切具１との間に折り畳み傘Ｋなどの細長状のものを収納することができる。
このようにすることにより、書籍Ｓ及び折り畳み傘Ｋ等はランドセル用仕切具１で押さえられているので、揺れ動くことがなく、ランドセル５は持ち運びやすいものになる。
【００２０】
図６には、一対のランドセル用仕切具１を、押さえ片部４が対向するようにランドセル５の収納部６の背当て側面７ｃ及び前側面７ｄにそれぞれ取り付けた使用例を示す。
この場合、例えば、ランドセル５の収納部６の側面７ａ側に筆箱Ｆ等の縦長直方体状のものを収納することができる。
このようにすることにより、筆箱Ｆ等はランドセル用仕切具１で押さえられているので、揺れ動くことがなく、ランドセル５は持ち運びやすいものになる。
【００２１】
このように、ランドセル用仕切具１は、押さえ片部４が収納物に当接するようにランドセル５の内面７に取り付けることにより、収納物を押さえ付けて揺れ動かないようにすることができ、持ち運びやすいランドセル５にすることができる。
ランドセル用仕切具１は、収納部を全幅に亘って仕切らない配置にすることもできるため、適度な空間ができ、収納物を取り出しやすくすることもできる。
【００２２】
上記実施形態の構成態様は、本発明を限定するものとして挙げたものではなく、技術目的を共通にするかぎり変更は可能であり、本発明はそのような変更を含むものである。
【符号の説明】
【００２３】
１ランドセル用仕切具  ２固定部  ３固定面  ４押さえ片部  ５ランドセル
６収納部  ７内面  ８フック部  ９ループ部